(57)【要約】      （修正有）【課題】スナップボタンのはめ替えで長パンツにもなり腹巻にもなるもので、着脱することなく太もも周りの冷えや暑さ蒸れに簡単に対応できる腹巻を提供する。【解決手段】伸縮性のある筒状の体を包む腹巻において、前面と後面の下中央部分に縦の切りこみと、前面と後面のそれぞれの切り口の縁沿いに必要な数のスナップボタン３、４、５、６を取り付けた。前面右部分と後面右部分のスナップボタン３、４、前面左部分と後面左部分のスナップボタン５、６をそれぞれはめれば長パンツになる。前面右部分と前面左部分のスナップボタン３、５、後面右部分と後面左部分のスナップボタン４、６をそれぞれはめれば腹巻になる。【選択図】図２
0003223949.tif 000002
【実用新案登録請求の範囲】
【請求項１】
伸縮性のある筒状の体を包む腹巻において、前面と後面の下中央部分に縦の切りこみと、前記前面と後面のそれぞれの切り口の縁沿いに必要な数のスナップボタンを取り付けたことを特徴とする長パンツにもなる腹巻。
【請求項２】
前面右部分と後面右部分、前面左部分と後面左部分の前記スナップボタンをそれぞれはめれば長パンツになることを特徴とする請求項１に記載の長パンツにもなる腹巻。
【請求項３】
前記前面右部分と前面左部分、後面右部分と後面左部分の前記スナップボタンをそれぞれはめれば腹巻になることを特徴とした請求項１に記載の長パンツにもなる腹巻。
【考案の詳細な説明】
【技術分野】
【０００１】  本考案は伸縮性のある腹巻の中央下部分に縦に切り込みを入れスナップボタンを取り付けた腹巻に関するものである。
【背景技術】
【０００２】  お腹や腰、お尻周りを温めるのに腹巻は活用される。太もも周りをあたためるには丈の長めのパンツやスパッツを着用する。またお腹や腰周りや太ももを一度に暖められるものとして腹巻付きパンツも活用されている。
【先行技術文献】
【特許文献】
【０００３】
【特許文献１】登録実用新案第１８０７０２号
【考案の概要】
【考案が解決しようとする課題】
【０００４】  特許文献に開示された腹巻兼用パンツは股の部分にボタンがあるだけなのでパンツとして着用するときはお尻やお腹周りが暖かいが太もも周りは温めることができない。また股の部分にボタンがあることでパンツとして着用していると股の部分にボタンがくいこんだりすることがある。【０００５】  現在販売されている腹巻付きパンツやスパッツでは、太もも周りが暖かくなりすぎて蒸れやすい時がある。特に足を通して着用するようなズボンなどの形態の服を着用しているときは従来の腹巻付きパンツやスパッツの着脱が甚だわずらわしいという欠点を解決しようとするものである。
【課題を解決するための手段】
【０００６】  伸縮性のある筒状の体を包む腹巻の前面と後面の下中央部分に縦に切り込みを入れて、その前面後面のそれぞれの切り口の縁沿いに必要な数のスナップボタンを取り付けることにより、前面右部分と後面右部分、前面左部分と後面左部分のスナップボタンをそれぞれはめれば長パンツに、前面右部分と前面左部分、後面右部分と後面左部分のスナップボタンをはめれば腹巻の形状になることで着脱することなく太ももの寒さや暑さや蒸れなどを調整できることで問題点を解決している。
【考案の効果】
【０００７】  上述のように本考案の長パンツにもなる腹巻を着用すれば太ももがヒヤリとするときはスナップボタンをはめ変えて長パンツにし、また太ももが暖まって蒸れてきたときはスナップボタンをはめ変えて腹巻に戻せる。【０００８】  外出先などで簡単に脱ぎ着が出来ないときや、ズボンのような形態の洋服を着用しているときなど、太ももが暑くなったり寒くなったりしたときは従来の腹巻付きパンツやスパッツでは簡単に対応できない。【０００９】  腹巻の素材は薄手のものから厚手のものまで伸縮性のあるものであればどんなもので作成することができ、いろいろな季節にも対応できる。ストッキングを履くには暑いけど太ももがヒヤッとするような季節の変わり目の時や朝晩冷えるが日中は暑くなるような時は重宝する。
また腹巻は伸縮性があるので横幅のサイズによってどのような体形の方にも対応できるし寝たきりの方のように着脱が難しい方にも対応できる。
【図面の簡単な説明】
【００１０】
【図１】筒状の腹巻の下方中央部分の前後２枚に切り込みをいれた正面図。
【図２】切れ目をいれた縁沿いにスナップボタンを取り付けた正面図。
【図３】  前右太ももと後右太ももに取り付けたスナップボタンを、前左太ももと後左太ももに取り付けたスナップボタンをそれぞれはめて長パンツの状態にした正面図。
【図４】  前右太ももと前左太もものスナップボタンを、後右太ももと後左太もものスナップボタンを、それぞれはめて腹巻の状態にした正面図。
【考案を実施するための形態】
【００１１】  筒状の伸縮性のある腹巻の中央下部分の前後２枚に例えば１５センチから３０センチくらいを縦に２枚揃えて切る。切り離した縁沿いに股になる部分を例えば１０センチ前後あけてそこから必要な数のスナップボタンを間隔をあけて取り付ける。
【実施例】
【００１２】  以下添付図面に従って一実施例説明する。図１の１の筒状の伸び縮みする素材の腹巻の中央部分の下部分の前面後面を例えば１５センチから３０センチくらいを縦に２枚揃えて２のように切れ目を入れる。図１の１で切り離した縁沿いの股になる部分はスナップボタンをはめた時に食い込みを避けるために例えば１０センチ前後をあけてから必要数のスナップボタンを間隔をあけて取り付ける。【００１３】  図２の３のように前右太もも表面の内側部分の縁沿いに凹部分のスナップボタンを例えば５か所くらい取り付ける。図２の４のように後右太もも表面の内側部分の縁沿いには凸部分のスナップボタンを例えば５か所くらい取り付ける。また図２の５のように前左太もも裏面の内側部分の縁沿いに凸部分のスナップボタンを例えば５か所くらい取り付ける。図２の６のように後左太もも裏面の内側部分の縁沿いには凹部分のスナップボタンを例えば５か所くらい取り付ける。【００１４】  ３の前右太ももの表面の凹部分のスナップボタンと４の後右太ももの表面の凸部分のスナップボタンを、５の前左太ももの裏面の凸部分のスナップボタンと６の後左太ももの裏面の凹部分のスナップボタンをそれぞれはめることで図３のような長パンツになり太もも周りを暖めることが出来る。【００１５】  太ももが暖まって蒸れてきたらスナップボタンをはずし、３の前右太ももの表面の凹部分のスナップボタンと５の前左太ももの裏面の凸部分のスナップボタンを、４の後右太ももの表面の凸部分のスナップボタンと６の後左太ももの裏面の凹部分のスナップボタンをそれぞれはめることで４の筒状の腹巻になる。
【産業上の利用可能性】
【００１６】  本考案はどんな季節でもどんなサイズの方にでも対応できるよういろいろな素材やサイズで販売されている腹巻を利用できるのでその活用範囲は広い。
【符号の説明】
【００１７】１筒状の伸縮性のある腹巻
２腹巻き中央下部分前後２枚に入れた切りこみ。
３前右太もも表面の内側部分の縁沿いに取り付けられた凹部分のスナップボタン。
４後右太もも表面の内側部分の縁沿いに取り付けられた凸部分のスナップボタン。
５前左太もも裏面の内側部分の縁沿いに取り付けられた凸部分のスナップボタン。
６後左太もも裏面の内側部分の縁沿いに取りつけられた凹部分のスナップボタン。
【図１】
0003223949.tif 000003
【図２】
0003223949.tif 000004
【図３】
0003223949.tif 000005
【図４】
0003223949.tif 000006